(57)【要約】【課題】撮影者の意図しない撮影モードにおいて撮影が実行されるのを防止する。【解決手段】撮影モードを手動にて切り替えるための撮影モード切替手段１００，１３０、被写体に関する撮影環境を測定する測定手段６０、撮影時にシャッタを作動させるためのレリーズボタン５１，５２、種々の制御を司る制御手段１６０を備えた撮像装置において、レリーズボタンは、半押し操作及び全押し操作に対応してそれぞれ信号を発するダブルアクションスイッチＳＷを含み、制御手段は、レリーズボタンが半押し操作されたとき、撮影モード切替手段により選択された撮影モードが測定手段の測定情報に基づき決定される撮影条件に対応した適切な撮影モードか否かを判断し、不適切な撮影モードであると判断したとき、シャッタを非作動とするべく制御する。これにより、望まない撮影モードでの撮影によるフィルムの無駄を防止できる。【選択図】図７
2015038574.tif 000002
【特許請求の範囲】
【請求項１】
撮影モードを手動にて切り替えるための撮影モード切替手段と、被写体に関する撮影環境を測定する測定手段と、撮影時にシャッタを作動させるためのレリーズボタンと、種々の制御を司る制御手段と、を備えた撮像装置であって、
前記レリーズボタンは、半押し操作及び全押し操作に対応してそれぞれ信号を発するダブルアクションスイッチを含み、
前記制御手段は、前記レリーズボタンが半押し操作されたとき、前記撮影モード切替手段により選択された撮影モードが前記測定手段の測定情報に基づき決定される撮影条件に対応した適切な撮影モードか否かを判断し、不適切な撮影モードであると判断したとき、前記シャッタを非作動とするべく制御する、
ことを特徴とする撮像装置。
【請求項２】
前記制御手段は、前記不適切な撮影モードであると判断したとき、前記レリーズボタンが全押し操作されても前記シャッタを非作動とするべく制御する、
ことを特徴とする請求項１に記載の撮像装置。
【請求項３】
種々の情報を表示する表示部をさらに含み、
前記制御手段は、前記不適切な撮影モードであると判断したとき、前記表示部にエラー情報を表示するべく制御する、
ことを特徴とする請求項１又は２に記載の撮像装置。
【請求項４】
撮影の際の光量を調節するストロボをさらに含み、
前記撮影モード切替手段は、所定の休止位置を中心として所定角度範囲を往復動操作可能でかつ前記休止位置に自動復帰するように形成されたモード切替操作環と、前記モード切替操作環の一方向又は他方向への回転操作に連動して撮影モードを連続的に切り替えるトリガ信号を発する連動スイッチを含み、
前記測定手段は、被写体の光量を測定する光センサを含む、
ことを特徴とする請求項１ないし３いずれか一つに記載の撮像装置。
【請求項５】
前記制御手段は、前記レリーズボタンが半押し操作されたときの出力信号に基づいて、前記測定手段に測定動作を行わせるように制御する、
ことを特徴とする請求項４に記載の撮像装置。
【発明の詳細な説明】
【技術分野】
【０００１】
本発明は、撮影モードを切り替える撮影モード切替手段を備えたデジタルカメラ、フィルム式のスチルカメラ、インスタントカメラ等の撮像装置に関し、特に、ダブルアクションスイッチを内蔵するレリーズボタンを備えたデジタルカメラ、フィルム式のスチルカメラ、インスタントカメラ等の撮像装置に関する。
【背景技術】
【０００２】
従来の撮像装置としては、本体、撮像レンズを内蔵し本体の中央部に進退可能に取り付けられた鏡胴、撮影済みのインスタントフィルムを排出する排出部、本体の前面に設けられたストロボ及びファインダ、シャッタを作動させるべく本体の前面に設けられた第１レリーズボタン、シャッタを動作させるべく本体の側面に設けられた第２レリーズボタン等を備え、本体を正姿勢（縦方向）にして撮影する際には第１レリーズボタンを使用し、本体を横にした横姿勢（第２レリーズボタンが鉛直方向の上側に位置する状態）にして撮影する際には第２レリーズボタンを使用するようにしたものが知られている（例えば、特許文献１を参照）。
【０００３】
しかしながら、この撮像装置において、これらのレリーズボタン（第１レリーズボタン及び第２レリーズボタン）は、シャッタ動作を行うか否かの単なるオン／オフのスイッチ動作を行うだけであり、それ故に、撮影者が所望する撮影モードが設定されていない状態でレリーズボタンが押されると、シャッタが開いてインスタントフィルムが露光され、望まない撮影モードで撮影が行われることになる。
したがって、所望の撮影モードで撮影するには、別のインスタントフィルムを再度装着する必要があり、それ故に、インスタントフィルムが無駄になると共に撮影に手間がかかり、経済的ではなく、又、撮影者の誤操作等も防止する必要がある。
【０００４】
また、他の撮像装置としては、本体、本体の上面に設けられてダブルアクションスイッチを内蔵するレリーズボタン、本体の上面に設けられて動画撮影の開始及び終了を行う動画ボタン、本体の上面に設けられて静止画撮影モードや動画撮影モード等の複数の撮影モードのうち１つの撮影モードを選択するダイヤル式のモードダイヤル等を備え、動画ボタンの操作により動画撮影が行われている際に、レリーズボタンの半押し操作が行われると、静止画撮影のモードに移行してその撮影準備動作（測距、測光等の撮影環境の測定）が実行され、続いて、レリーズボタンの全押し操作が行われると、静止画撮影動作が実行されるように構成されたものが知られている（例えば、特許文献２を参照）。
しかしながら、この撮像装置において、レリーズボタンのダブルアクションは、単に、第１のアクション（半押し操作）で通常の静止画撮影のための撮影準備動作（測距、測光）に移行し、続いて第２のアクション（全押し操作）でシャッタ動作を行うものであり、その他の機能を備えるものではない。
【先行技術文献】
【特許文献】
【０００５】
【特許文献１】特開２０００−１０１６８号公報
【特許文献２】特開２０１２−１５９５９２号公報
【発明の概要】
【発明が解決しようとする課題】
【０００６】
本発明は、上記の事情に鑑みて成されたものであり、その目的とするところは、手動により撮影モード適宜切り替えることが可能な撮影モード切替手段を備えた撮像装置において、撮影者の意図しない撮影モードにおいて撮影が実行されるのを防止し、特に、撮影のためにフィルムを用いる場合に望まない撮影モードでの撮影によるフィルムの無駄を防止でき、又、撮影者の誤操作等を告知できる撮像装置を提供することにある。
【課題を解決するための手段】
【０００７】
本発明の撮像装置は、撮影モードを手動にて切り替えるための撮影モード切替手段と、被写体に関する撮影環境を測定する測定手段と、撮影時にシャッタを作動させるためのレリーズボタンと、種々の制御を司る制御手段と、を備えた撮像装置であって、上記レリーズボタンは、半押し操作及び全押し操作に対応してそれぞれ信号を発するダブルアクションスイッチを含み、上記制御手段は、レリーズボタンが半押し操作されたとき、撮影モード切替手段により選択された撮影モードが測定手段の測定情報に基づき決定される撮影条件に対応した適切な撮影モードか否かを判断し、不適切な撮影モードであると判断したとき、シャッタを非作動とするべく制御する、ことを特徴としている。
この構成によれば、撮影モード切替手段により撮影モードが選択され、撮影のためにレリーズボタンが半押し操作されると、制御手段により、撮影モード切替手段により選択された撮影モードが測定手段の測定情報に基づき決定される撮影条件に適した撮影モードか否か判断され、不適切な撮影モード（撮影者が間違って選択した意図しない又は撮影環境に適さない撮影モード）である場合には、シャッタが作動しないように制御される（例えば、レリーズボタンが全押し操作されないようにその移動を規制する規制手段を設けて当該規制手段を作動させるか、あるいは、シャッタを作動させる駆動部をソフト的に作動しないように制御する）。一方、適切な撮影モード（撮影者が意図する又は撮影環境に適した撮影モード）である場合には、レリーズボタンが全押し操作されることで、所望の撮影が完了する。尚、測定手段による撮影環境の測定及び測定情報に基づく撮影条件の決定は、撮影者による撮影モードの選択後でレリーズボタンの半押し操作よりも前に行われてもよく、あるいは、レリーズボタンの半押し操作をトリガとしてその半押し操作後に行われてもよい。
このように、撮影者の意図しない又は撮影環境に適さない撮影モードにおいて撮影が実行されるのを未然に防止し、特に、撮影のためにフィルム（例えば、インスタントフィルム）を用いる場合に望まない撮影モードでの撮影によるフィルムの無駄を防止することができる。
【０００８】
上記構成において、制御手段は、不適切な撮影モードであると判断したとき、レリーズボタンが全押し操作されてもシャッタを非作動とするべく制御する、構成を採用することができる。
この構成によれば、制御手段により、不適切な撮影モードであると判断されたとき、レリーズボタンが全押し操作されてもシャッタが作動しないようにソフト的に制御される、すなわち、制御ソフトで対応するだけであるため、レリーズボタンの全押し操作を規制する機械的な規制手段等を設ける場合に比べて構造を簡素化でき、システムを簡略化することができる。
【０００９】
上記構成において、種々の情報を表示する表示部をさらに含み、制御手段は、不適切な撮影モードであると判断したとき、表示部にエラー情報を表示するべく制御する、構成を採用することができる。
この構成によれば、制御手段により、不適切な撮影モードであると判断されたとき、撮影モードが不適切であるというエラー情報が表示部に表示されるため、撮影者は容易にそのことを認知することができ、それ故に、撮影モード切替手段により撮影モードの切り替えを行って適切な撮影モードを選択することができる。
【００１０】
上記構成において、撮影の際の光量を調節するストロボをさらに含み、撮影モード切替手段は、所定の休止位置を中心として所定角度範囲を往復動操作可能でかつ休止位置に自動復帰するように形成されたモード切替操作環と、モード切替操作環の一方向又は他方向への回転操作に連動して撮影モードを連続的に切り替えるトリガ信号を発する連動スイッチを含み、検出手段は、被写体の光量を測定する光センサを含む、構成を採用することができる。
この構成によれば、選択された撮影モードが適切か否かの判断が制御手段により行われる前提として、モード切替操作環を一方向又は他方向に回転して保持し連動スイッチが発するトリガ信号により撮影モードを連続的に切り替え、所望の撮影モードに至った時点でモード切替操作環を解放し自動復帰させることで当該所望の撮影モードを選択することができ、光センサにより被写体の光量が測定されて、撮影条件（シャッタスピード、ストロボを発光するか否かの決定等）を決定することができる。
特に、モード切替操作環を回転保持した後に解放する（自動復帰させる）タイミングがずれると、所望する撮影モードが選択されないまま撮影動作に移行する場合があるが、このような不適切な撮影モードの場合に、シャッタが作動しないように制御されるため、撮影の無駄を防止することができる。
【００１１】
上記構成において、制御手段は、レリーズボタンが半押し操作されたときの出力信号に基づいて、測定手段に測定動作を行わせるように制御する、構成を採用することができる。
この構成によれば、レリーズボタンが半押し操作されたときの出力信号に基づき、測定手段による測定動作が行われるため、撮影者が撮影の意思があるときにのみ測定手段による撮影環境（光量等）の測定が行われことになり、制御シーケンスの簡素化を達成しつつ、選択された撮影モードが適切か否かを確実に判断することができる。
【発明の効果】
【００１２】
上記構成をなす撮像装置によれば、手動により撮影モード適宜切り替えることが可能な撮影モード切替機構を備えた撮像装置において、撮影者の意図しない又は撮影環境に適さない撮影モードにおいて撮影が実行されるのを防止し、特に、撮影のためにフィルムを用いる場合に望まない撮影モードでの撮影によるフィルムの無駄を防止でき、又、撮影者の誤操作に告知できる撮像装置を得ることができる。
【図面の簡単な説明】
【００１３】
【図１】本発明に係る撮像装置（インスタントカメラ）を前方側から視た外観斜視図である。
【図２】本発明に係る撮像装置（インスタントカメラ）を後方側から視た外観斜視図である。
【図３】本発明に係る撮像装置（インスタントカメラ）の分解斜視である。
【図４】本発明に係る撮像装置（インスタントカメラ）のレリーズボタンの回路を示すものであり、（ａ）は押されていない（非操作）の状態を示す回路図、（ｂ）は半押し操作された状態を示す回路図、（ｃ）は全押し操作された状態を示す回路図である。
【図５】本発明に係る撮像装置（インスタントカメラ）の制御回路を示すブロック図である。
【図６】本発明に係る撮像装置（インスタントカメラ）において、撮影モード切替手段（モード切替操作機構）により選択され得る撮影モードを示す模式図である。
【図７】本発明に係る撮像装置（インスタントカメラ）における制御フローを示すフローチャートである。
【発明を実施するための形態】
【００１４】
以下、本発明の実施形態について、添付図面を参照しつつ説明する。
この実施形態に係る撮像装置は、インスタント写真用のフィルム（インスタントフィルム）が装填されるインスタントカメラであり、図１ないし図３に示すように、外輪郭を画定するカバー本体１０、カバー本体１０の内部に収容されるベース本体２０、ベース本体２０に設けられて光軸Ｌ方向においてレンズの繰り出し及び繰り込み動作を行う複数の鏡筒３１を有する（と共に、シャッタ機構３２、絞り機構３３、バリア機構３４等を内蔵する）レンズ鏡胴３０、カバー本体１０の前側に設けられたメインスイッチ４０、メインスイッチ４０の内側に設けられた第１のレリーズボタン５１、カバー本体１０の側部に設けられた第２のレリーズボタン５２、レンズ鏡胴３０の前面に設けられた測定手段としてのＡＥセンサ６０、ＡＥセンサ６０に隣接して設けられたストロボ調光センサ７０、カバー本体１０の前面に設けられたストロボ８０、カバー本体１０の後側から前側に向けて設けられたファインダ９０、カバー本体１０の前面及び内部に設けられた撮影モード切替手段としての（モード切替操作環１０１、連動スイッチ１０２を含む）モード切替操作機構１００、カバー本体１０の後側に開閉自在に設けられた裏蓋１１０、裏蓋１１０に設けられた表示部１２０及び撮影モード切替手段としてのモードスイッチ１３０、裏蓋１１０の開閉を検出する裏蓋開閉検出センサ１４１、カメラ本体内にインスタントフィルムのカートリッジが装填されているか否かによりフィルムの有無を検出するフィルム有無検出センサ１４２、ベース本体２０に設けられたフィルム排出機構１５０、ベース本体２０に設けられた回路基板ＣＢに実装されて種々の制御を司る制御手段としての制御部１６０、回路基板ＣＢに実装されて種々の制御情報を記憶する記憶部１７０、裏蓋１１０に収容される電源１８０等を備えている。
【００１５】
カバー本体１０は、図１ないし図３に示すように、前側カバー１１、裏蓋１１０を開閉自在に支持する後側カバー１２、側部カバー１３、側部カバー１４、インスタントフィルムの排出口１５ａを有する上側カバー１５等を備え、相互にかつベース本体２０に対して着脱自在に結合されるように形成されている。
前側カバー１１は、図１及び図３に示すように、ベース本体２０に設けられたレンズ鏡胴３０を繰り出し及び繰り込み可能に内側に収容すると共にモード切替操作環１０１が隣接して取り付けられる円筒部１１ａ等を備えている。
ベース本体２０は、図３に示すように、レンズ鏡胴３０、回路基板ＣＢ、撮影のために必要な種々の電子部品等を保持するように形成されており、又、インスタントフィルムを備えたカートリッジを後方側から着脱自在に、かつ、排出口１５ａを通して撮影後のインスタントフィルムを排出可能に形成されている。
【００１６】
レンズ鏡胴３０は、図１、図３、図５に示すように、レンズを保持すると共に光軸Ｌ方向に繰り出し及び繰り込み（伸縮）自在な入れ子状の複数の鏡筒３１、撮影のためのシャッタ動作を行うシャッタ機構３２、撮影の際の絞り動作を行う絞り機構３３、レンズの前方を開閉するバリア機構３４等を備えている。
複数の鏡筒３１は、光軸Ｌ方向に繰り出し及び繰り込みされる駆動部を含み、電源１８０がオフのときの沈胴位置から、電源１８０がオンされて所定量繰り出した近距離撮影位置（撮影待機位置）、近距離撮影位置から所定量繰り込んだ遠距離撮影位置、近距離撮影位置から所定量繰り出した近接撮影位置の三箇所に停止する単焦点のレンズ光学系を構成している。ここで、遠距離撮影位置及び近接撮影位置は、撮影モードの切り替えにより適宜選択されるようになっている。
シャッタ機構３２は、被写体光がフィルムに向けて通過する開口部を開閉するシャッタ及びその駆動を行う駆動部（アクチュエータ）等を備えており、制御部１６０の指令に基づいて開口部の開閉動作を行うように形成されている。
絞り機構３３は、被写体光がフィルムに向けて通過する開口部を絞るための絞り及びその駆動部（アクチュエータ）等を備えており、撮影モード切替手段（モード切替操作機構１００，モードスイッチ１３０）により選択される撮影モードに応じた所定の絞り量が予め設定されており、撮影者により撮影モードが選択されると、その撮影モードに応じた絞り量となるように絞り動作を行うように形成されている。
バリア機構３４は、鏡筒３１の沈胴位置から撮影待機位置への繰り出し動作に連動してレンズ前方の開口部を開放し、一方、鏡筒３１の沈胴位置への繰り込み動作に連動してレンズ前方の開口部を閉鎖するように形成されている。
【００１７】
メインスイッチ４０は、図１に示すように、カバー本体１０の前面で第１のレリーズボタン５１の周りに環状をなして配置されると共にバネ等により一方向に回転付勢されて休止位置に停止しており、電源１８０をオンする場合は、指で他方向に所定角度回転させることにより電源１８０がオンされ、指を離すことで休止位置に自動的に復帰し、一方、電源１８０をオフする場合は、再び指で他方向に所定角度回転させることにより電源１８０がオフされ、指を離すことで休止位置に自動的に復帰するようになっている。
そして、メインスイッチ４０を操作して、電源１８０をオンにすると、鏡筒３１が沈胴位置から近距離撮影位置（撮影待機位置）まで繰り出すと共にバリア機構３４が開口部を開放して撮影待機状態に至り、一方、電源１８０をオフにすると、鏡筒３１が沈胴位置まで繰り込んで停止すると共にバリア機構３４が開口部を閉鎖して撮影不能状態に至る。
【００１８】
第１のレリーズボタン５１は、図１に示すように、インスタントカメラを通常の撮影姿勢である縦向きにして撮影する際に、右手の人差し指等で操作されるように配置されたものであり、図４（ａ），（ｂ），（ｃ）に示すように、押さない非操作状態から、半押し操作及び全押し操作に対応してそれぞれ信号を発するダブルアクションスイッチＳＷを備えている。
すなわち、第１のレリーズボタン５１は、その半押し操作されると、ＡＥセンサ６０により被写体の光量が測定（撮影環境が測定）され、シャッタスピード、ストロボ８０を発光させるか否か等の撮影条件が決定され、続いて、撮影モード切替手段（モード切替操作機構１００，モードスイッチ１３０）により選択された撮影モードが測定手段（ＡＥセンサ６０）の測定情報に基づき決定される撮影条件に対応した適切な撮影モードか否かを制御部１６０が判断するためのトリガ信号を発し、その全押し操作により、適切な撮影モードである場合にシャッタ機構３２を作動させるトリガ信号を発するようになっている。
【００１９】
第２のレリーズボタン５２は、図１に示すインスタントカメラを、横向き（第２のレリーズボタン５２が上向きとなる姿勢）にして撮影する際に、右手の人差し指等で操作されるように配置されたものであり、第１のレリーズボタン５１と同様に、図４（ａ），（ｂ），（ｃ）に示すように、押さない非操作状態から、半押し操作及び全押し操作に対応してそれぞれ信号を発するダブルアクションスイッチＳＷを備えている。
すなわち、第２のレリーズボタン５２は、その半押し操作により、ＡＥセンサ６０により被写体の光量が測定（撮影環境が測定）され、シャッタスピード、ストロボ８０を発光させるか否か等の撮影条件が決定され、続いて、撮影モード切替手段（モード切替操作機構１００，モードスイッチ１３０）により選択された撮影モードが測定手段（ＡＥセンサ６０）の測定情報に基づき決定される撮影条件に対応した適切な撮影モードか否かを制御部１６０が判断するためのトリガ信号を発し、その全押し操作により、適切な撮影モードである場合にシャッタ機構３２を作動させるトリガ信号を発するようになっている。
【００２０】
ＡＥセンサ６０は、図１に示すように、レンズ鏡胴３０（の鏡筒３１）の前面に設けられており、第１のレリーズボタン５１又は第２レリーズボタン５２が半押し操作されたときの出力信号に基づいて、被写体に関する撮影環境としての被写体の光量（可視光）を測定する光センサである。そして、ＡＥセンサ６０は、シャッタスピード、ストロボ８０を発光させるか否か等の撮影条件を決定する際の情報を提供する機能をなすものである。
【００２１】
ストロボ調光センサ７０は、図１に示すように、レンズ鏡胴３０（の鏡筒３１）の前面でかつＡＥセンサ６０に隣接して設けられており、シャッタ機構３２の開き動作開始後に、被写体の赤外光を測定して、ストロボ８０の発光量を決定する際の情報を提供する機能をなすものである。
ストロボ８０は、図１に示すように、カバー本体１０の前面に設けられており、ストロボ調光センサ７０の測定信号に基づいて決定された制御信号により、シャッタ機構３２が開き動作を開始後であって閉じ動作の終了前に、調整された所定量の光を発光するようになっている。
ファインダ９０は、図１及び図２に示すように、カバー本体１０の後側から前側に向けて設けられたおり、撮影のための画枠を決定する際に撮影者が覗くように形成されたものである。
【００２２】
モード切替操作機構１００は、図１ないし図３、図５に示すように、カバー本体１０（の前側カバー１１の円筒部１１ａ）に取り付けられたモード切替操作環１０１、ベース本体２０に固定される回路基板ＣＢに実装されてモード切替操作環１０１の回転操作に連動する連動スイッチ１０２、モード切替操作環１０１を所定の休止位置に自動復帰させる機構（不図示、例えば、自動復帰させる休止位置が谷部に対応する略Ｖ字状のカム部と、カム部にバネ付勢されて係合する係合アーム等を備えた構成）等を備えている。
そして、モード切替操作環１０１を一方向に所定角度回転させて保持すると、連動スイッチ１０２が発するトリガ信号に基づいて、必要に応じて（レンズ鏡胴３０の）鏡筒３１の繰り出し及び繰り込み動作が適宜行われる共に連続的に撮影モードが切り替えられる。
例えば、図６に示すように、撮影モードが、（休止位置に対応する）近距離撮影モードＷＭ→キッズ撮影モードＫＭ（シャッタスピードを標準よりも短くする）→パーティ撮影モードＰＭ（シャッタスピードを標準よりも長くする）→近接撮影モードＭＭ→バルブ撮影モードＢＭ（シャッタの開放状態を数秒間保持する）→多重露出撮影モードＤＭ（異なる被写体を重ねて撮影する）→遠距離撮影モードＴＭ→近距離撮影モードＷＭへとエンドレスにて連続的に切り替えられ、モード切替操作環１０１を解放して自動復帰させることで連動スイッチ１０２によるトリガ信号の発信が停止され、所望の撮影モードが選択される。
また、モード切替操作環１０１を他方向に所定角度回転させて保持すると、連動スイッチ１０２が発するトリガ信号に基づいて、必要に応じて（レンズ鏡胴３０の）鏡筒３１の繰り出し及び繰り込み動作が適宜行われると共に連続的に撮影モードが切り替えられる。
例えば、図６に示すように、撮影モードが、（休止位置に対応する）近距離撮影モードＷＭ→遠距離撮影モードＴＭ→多重露出撮影モードＤＭ（異なる被写体を重ねて撮影する）→バルブ撮影モードＢＭ（シャッタの開放状態を数秒間保持する）→近接撮影モードＭＭ→パーティ撮影モードＰＭ（シャッタスピードを標準よりも長くする）→キッズ撮影モードＫＭ（シャッタスピードを標準よりも短くする）→近距離撮影モードＷＭへとエンドレスにて連続的に切り替えられ、モード切替操作環１０１を解放して自動復帰させることで連動スイッチ１０２によるトリガ信号の発信が停止され、所望の撮影モードが選択される。
【００２３】
裏蓋１１０は、図２に示すように、カバー本体１０（の後側カバー１２）に開閉自在に連結され、又、表示部１２０及びモードスイッチ１３０を取り付ける取付け部１１１，１１２、電源１８０を収納する収納部１１３を備えている。
表示部１２０は、後側から視認できるようにカバー本体１０（の後側カバー１２に取り付けられた裏蓋１１０）の後面に設けられた液晶ディスプレイ（ＬＣＤ）等からなり、種々の情報を表示し得るようになっている。
例えば、表示部１２０は、撮影モード切替手段（モード切替操作機構１００，モードスイッチ１３０）により選択された撮影モード、あるいは、撮影モード切替手段（モード切替操作機構１００，モードスイッチ１３０）により選択された撮影モードが測定手段（ＡＥセンサ６０）の測定情報に基づき決定される撮影条件に対応した適切な撮影モードでない（不適切な撮影モードである）ときそのことを告知するエラー情報、あるいは、その他の撮影に関する情報等を表示するようになっている。
【００２４】
モードスイッチ１３０は、後側から視認できるようにカバー本体１０（の後側カバー１２に取り付けられた裏蓋１１０）の後面に設けられたプッシュ式のスイッチである。
そして、モードスイッチ１３０は、電源１８０がオンされた後に、一回だけ押圧操作されることで、モード切替操作機構１００（モード切替操作環１０１、連動スイッチ１０２）による撮影モードの切り替えが可能になる許可信号を発すると共に、その後に、押圧操作される毎に、撮影モードを切り替えて所望の撮影モードを選択し得るように形成されている。
尚、モードスイッチ１３０の操作により選択される得る撮影モードには、前述のモード切替操作機構１００により選択できる撮影モードの他に、ライト撮影モード（予め設定された固定値を読み込み、シャッタスピード、ストロボ８０の発光時間を変更して明るい写真を撮影する）、ハイキー撮影モード（ライト撮影モードよりもさらに明るい写真を撮影する）、ダークン撮影モード（予め設定された固定値を読み込み、シャッタスピード、ストロボ８０の発光時間を変更して暗い写真を撮影する）等の種々の撮影モードが含まれる。
すなわち、モードスイッチ１３０は、モード切替操作機構１００とは別個の撮影モード切替手段としての機能の他に、モード切替操作機構１００による撮影モードの切替操作を許可する機能を備えている。
【００２５】
裏蓋開閉検出センサ１４１は、ベース本体２０の一部に設けられると共に、図５に示すように制御部１６０に電気的に接続されており、例えば、裏蓋１１０が閉じられると信号を発して、制御部１６０により、裏蓋１１０が閉鎖状態にあるという情報が検出されるようになっている。
フィルム有無検出センサ１４２は、ベース本体２０に固定される回路基板ＣＢに実装されかつインスタントフィルムを収容したカートリッジが装填される部位に検出部が突出するように設けられると共に、図５に示すように制御部１６０に電気的に接続されており、例えば、インスタントフィルムを収容したカートリッジが装填されると信号を発して、制御部１６０により、インスタントフィルムが有るという情報が検出されるようになっている。
【００２６】
フィルム排出機構１５０は、インスタントフィルムを排出させるための駆動部を備えてベース本体２０の一部に設けられると共に、図５に示すようにその駆動部が制御部１６０に電気的に接続されており、シャッタ機構３２によるシャッタ動作完了の信号に基づき、排出口１５ａから撮影済みのインスタントフィルムを排出するように形成されている。
【００２７】
制御部１６０は、ベース本体２０に固定される回路基板ＣＢに実装されると共に、図５に示すように、レンズ鏡胴３０（鏡筒３１の駆動部、シャッタ機構３２の駆動部、絞り機構３３の駆動部）、メインスイッチ４０、第１レリーズボタン５１及び第２レリーズボタン５２のダブルアクションスイッチＳＷ、ＡＥセンサ６０、ストロボ調光センサ７０、ストロボ８０、モード切替操作機構１００の連動スイッチ１０２、表示部１２０、モードスイッチ１３０、裏蓋開閉検出センサ１４１、フィルム有無検出センサ１４２、フィルム排出機構１５０、記憶部１６０、電源１８０等と電気的に接続されており、種々の検出情報に基づいて、撮影条件（シャッタスピード、ストロボ８０を発光させるか否か等）の決定、撮影モード切替手段（モード切替操作機構１００，モードスイッチ１３０）により選択された撮影モードが測定手段（ＡＥセンサ６０）の測定情報に基づき決定される撮影条件に対応した適切な撮影モードか否かの記憶情報等との比較判断等の種々の処理を行って全体の制御を司るようになっている。
【００２８】
記憶部１７０は、ベース本体２０に固定される回路基板ＣＢに実装されると共に、図５に示すように、制御部１６０に電気的に接続されており、種々の情報、例えば、各々の撮影モードに対応した撮影条件等がマップとして記憶されている。
したがって、制御部１６０は、レリーズボタン５１，５２が半押し操作されたとき、撮影モード切替手段（モード切替操作機構１００，モードスイッチ１３０）により選択された撮影モードが測定手段（ＡＥセンサ６０）の測定情報に基づき決定される撮影条件（シャッタスピード、ストロボ８０を発光させるか否か等）に対応した適切な撮影モードか否かを（適宜、記憶部１７０に記憶された情報に基づき）判断することができるようになっている。
電源１８０は、図２に示すように、裏蓋１１０の収納部１１３に着脱自在に収納されるように形成された携帯型電池である。
【００２９】
次に、上記構成をなすインスタントカメラにおける撮影者の撮影操作及び制御部１６０による制御動作を、図７に示すフローチャートを参照しつつ説明する。
先ず、メインスイッチ４０の操作により電源１８０がオンされる前に、裏蓋１１０を開けてインスタントフィルムを備えたカートリッジが装填され、その後裏蓋１１０が閉じられて、撮影のための準備が行われる。ここで、メインスイッチ４０を操作して電源１８０がオンされると（ステップＳ１）、鏡筒３１が沈胴位置から近距離撮影位置（撮影待機位置）に繰り出すと共に、バリア機構３４が鏡筒３１の移動に連動して開口部を開放する。
【００３０】
そして、裏蓋開閉検出センサ１４１により裏蓋１１０が閉じていることが検出され（ステップＳ２）、フィルム有無検出センサ１４２によりフィルムが有ることが検出される（ステップＳ３）と次のステップに移行する。（尚、裏蓋開閉検出センサ１４１及びフィルム有無検出センサ１４２により、それぞれ裏蓋１１０が開いている又はフィルムが無いという情報が検出されると、次のステップに移行しないため、撮影者は裏蓋１１０が閉じているか又カートリッジが装填されているかを確認する必要がある。）
【００３１】
ここで、撮影者により、モードスイッチ１３０が一回だけ押されると、モード切替操作機構１００による撮影モードの切替操作が許容される。
そして、撮影者により、撮影モード切替手段が適宜操作されて（モードスイッチ１３０を適宜押して、あるいは、モード切替操作環１０１を適宜回転操作して）、所望する撮影モードが選択される（ステップＳ４）。
【００３２】
続いて、撮影者により、第１レリーズボタン５１又は第２レリーズボタン５２が半押し操作されると（ステップＳ５）、その出力信号に基づいて、ＡＥセンサ６０により被写体の光量が測定（撮影環境が測定）され、シャッタスピード、ストロボ８０を発光させるか否か等の撮影条件が決定され（ステップＳ６）、続いて、撮影モード切替手段（モード切替操作機構１００，モードスイッチ１３０）により選択された撮影モードが測定手段（ＡＥセンサ６０）の測定情報に基づき決定される撮影条件に対応した適切な撮影モードか否かが判断される（ステップＳ７）。
【００３３】
ステップＳ７において、選択された撮影モードは適切であると判断された場合、撮影者により、第１レリーズボタン５１又は第２レリーズボタン５２がさらに押し込まれて全押し操作されると（ステップＳ８）、シャッタ機構３２が作動してシャッタ動作が行われる（ステップＳ９）。
ここで、予めストロボ８０の発光を要すると判断されていた場合は、このシャッタ動作の最中に（シャッタが開き始めて閉じ終わるまでの間に）、ストロボ８０が発光し、瞬時にストロボ調光センサ７０により被写体の反射赤外光が測定され、ストロボ８０の発光量（発光時間）が決定されると共に即座にその決定に基づいてストロボ８０の発停止等の制御がなされる。
【００３４】
その後、撮影完了の信号に基づいて、フィルム排出機構１５０が駆動されて、撮影済みのインスタントフィルムが排出口１５ａから排出される（ステップＳ１０）。
そして、メインスイッチ４０の操作により電源１８０がオフにされたか否か判断され（ステップＳ１１）、オフにされていない場合はステップＳ２に戻り、メインスイッチ４０の操作により電源１８０がオフにされた場合はこの制御シーケンスが終了する。
【００３５】
一方、ステップＳ７において、選択された撮影モードが不適切な撮影モードであると判断された場合、撮影者が、第１レリーズボタン５１又は第２レリーズボタン５２をさらに押し込んで全押し操作しても（ステップＳ１２）、シャッタ機構３２は非作動の状態が保持されて（シャッタ動作が行われず）、表示部１２０においてエラー情報（エラーメッセージ）が表示され（ステップＳ１３）、その後、ステップＳ２に戻る。
そこで、撮影者により、再び撮影モード切替手段（モード切替操作機構１００，モードスイッチ１３０）が操作されて、適切な撮影モードが選択されることになる。
【００３６】
上記のように、撮影モード切替手段（１００，１３０）により撮影モードが選択され、撮影のためにレリーズボタン（５１，５２）が半押し操作されると、制御手段（１６０）により、撮影モード切替手段（１００，１３０）により選択された撮影モードが測定手段（６０）の測定情報に基づき決定される撮影条件に適した撮影モードか否か判断され、不適切な撮影モード（撮影者が間違って選択した意図しない又は撮影環境に適さない撮影モード）である場合には、シャッタが作動しないように制御される（ここでは、シャッタを作動させる駆動部をソフト的に作動しないように制御する）ため、撮影者の意図しない又は撮影環境に適さない撮影モードにおいて撮影が実行されるのを未然に防止し、望まない撮影モードでの撮影によるフィルムの無駄を防止することができる。
特に、制御手段（１６０）により不適切な撮影モードであると判断されたとき、レリーズボタン（５１，５２）が全押し操作されてもシャッタが作動しないようにソフト的に制御される、すなわち、制御ソフトで対応するだけであるため、レリーズボタンの全押し操作を規制するような機械的な規制手段等を設ける場合に比べて構造を簡素化でき、システムを簡略化することができる。
【００３７】
また、撮影モード切替手段としてモード切替操作機構１００を使用する場合は、モード切替操作環１０１を回転保持した後に解放する（自動復帰させる）タイミングがずれると、所望する撮影モードが選択されないまま撮影動作に移行する場合があるが、上記の如くシャッタが作動しないように制御されるため、より効果的に撮影の無駄を防止することができる。
さらに、レリーズボタン（５１，５２）半押し操作による出力信号に基づき測定手段（６０）による測定動作が行われる、すなわち、撮影モードが選択された後でかつ撮影者に撮影の意図があるときに測定手段（６０）による撮影環境（光量等）の測定が行われるため、制御シーケンスの簡素化を達成しつつ、選択された撮影モードが適切か否かを確実に判断することができる。
【００３８】
上記実施形態においては、撮像装置として、インスタントフィルムを用いるインスタントカメラについての実施形態を示したが、これに限定されるものではなく、その他のフィルム式のスチルカメラ、あるいは、デジタルスチルカメラであっても、同様に本発明を適用することができる。また、撮影モード切替手段により切り替えられる撮影モードは、実施形態に示したものに限られず、その他の撮影モードが含まれていてもよい。
上記実施形態においては、撮影モード切替手段として、モード切替操作機構１００（モード切替操作環１０１、連動スイッチ１０２）及びモードスイッチ１３０を示したが、これに限定されるものではなく、手動により操作されるものであれば、その他の機構を採用してもよい。
【産業上の利用可能性】
【００３９】
以上述べたように、本発明に係る撮像装置は、手動により撮影モード適宜切り替えることが可能な撮影モード切替手段を備えた撮像装置において、撮影者の意図しない撮影モードにおいて撮影が実行されるのを防止し、特に、撮影のためにフィルムを用いる場合に望まない撮影モードでの撮影によるフィルムの無駄を防止でき、又、撮影者の誤操作に告知できるため、インスタントカメラ等の撮像装置に限らず、その他のカメラあるいは光学機器等に搭載される撮像装置としても有用である。
【符号の説明】
【００４０】
１０  カバー本体
２０  ベース本体
３０  レンズ鏡胴
３１  鏡筒
３２  シャッタ機構
３３  絞り機構
３４  バリア機構
４０  メインスイッチ
５１  第１のレリーズボタン
５２  第２のレリーズボタン
ＳＷ  ダブルアクションスイッチ
６０  ＡＥセンサ（測定手段）
７０  ストロボ調光センサ
８０  ストロボ
９０  ファインダ
１００  モード切替操作機構（撮影モード切替手段）
１０１  モード切替操作環
１０２  連動スイッチ
１１０  裏蓋
１２０  表示部
１３０  モードスイッチ（撮影モード切替手段）
１４１  裏蓋開閉検出センサ
１４２  フィルム有無検出センサ
１５０  フィルム排出機構
１６０  制御部（制御手段）
１７０  記憶部
１８０  電源
【図１】
2015038574.tif 000003
【図２】
2015038574.tif 000004
【図３】
2015038574.tif 000005
【図４】
2015038574.tif 000006
【図５】
2015038574.tif 000007
【図６】
2015038574.tif 000008
【図７】
2015038574.tif 000009